(57)【要約】【課題】情報機器の本体容積を増加することなく、標準化されたハーフハイトのドライブベイに一組のディスク装置を配設できるようにし、光ディスクの装填作業などの操作性を向上する。【解決手段】情報機器のフロントフェイスに縦長に構成したハーフハイトのドライブベイへ配設可能となるようにしたディスク装置であり、組合せ可能に構成された一組のディスク装置Ａ１・Ａ２の筐体１を対向させて一体化したとき前記ドライブベイの開口部に一致する外形となるようにする。【選択図】      図４
2005056459.tif 000002
【特許請求の範囲】
【請求項１】
情報機器のフロントフェイスに縦長に構成したハーフハイトのドライブベイへ配設可能となるようにしたディスク装置であり、
組合せ可能に構成された一組のディスク装置の筐体を対向させて一体化したとき前記ドライブベイの開口部に一致する外形となるようにしたことを特徴とするディスク装置。
【請求項２】
ディスク装置の筐体の底板面を対向させるようにしたことを特徴とする請求項１記載のディスク装置。
【請求項３】
単体のディスク装置の筐体部分の外形が、厚さ１９ｍｍ以上２０．６５ｍｍ以下とし、横幅１４５．５ｍｍ以上１４６．５ｍｍ以下となるようにしたことを特徴とする請求項１記載のディスク装置。
【請求項４】
一組のディスク装置の各々の底板面を同時に係止する連結部材により一体化し、ドライブベイに配設可能となるようにしたことを特徴とする請求項１記載のディスク装置。
【発明の詳細な説明】
【０００１】
【発明の属する技術分野】
本発明は、各種光ディスクへの情報の記録および／または再生を行うディスク装置の改良に関するものである。
【０００２】
【従来の技術】
一般に、パーソナルコンピュータ（以下、パソコンという）あるいはＤＶＤレコーダのような情報機器は、光ディスクへ情報の記録または光ディスクから情報を再生するため、このディスク装置を欠かすことができず、これら情報機器に内蔵するか、いわゆる外付けとしてケーブルで接続するようにしている。
【０００３】
このような光ディスクで再生専用とされているものは、ＣＤ（ＣｏｍｐａｃｔＤｉｓｃ）、ＣＤ−ＲＯＭ（Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｃ）、ＤＶＤ−ＲＯＭ（ＲｅａｄＯｎｌｙ  Ｍｅｍｏｒｙ）であり、一方、記録が可能となるものとして、ＣＤ−Ｒ（Ｒｅｃｏｒｄａｂｌｅ）、ＣＤ−ＲＷ（ＲｅＷｒｉｔａｂｌｅ）、ＤＶＤ−Ｒ、ＤＶＤ−ＲＷなどの光ディスクがある。
【０００４】
図１１は、このような光ディスクＤをドライブするディスク装置１００をディスクトップ型のパソコン１０１に内蔵したものを示すもので、筐体１０２内にディスクトレイ１０３のロード／アンロードを行う搬送機構が内蔵されているとともに、ディスクトレイ１０３をロードしたとき作動するピックアップベースなどの駆動機構が内蔵されている（例えば、特許文献１）。
【０００５】
前記のようにパソコンに内蔵されたディスク装置は、通常、上記に示した各種の光ディスクに対応可能とする光ピックアップを備え、光ディスクへの情報の記録再生を単体で処理できるようにしている。そして、ディスク装置を内蔵したパソコン以外の情報機器、例えば、ＤＶＤレコーダにおいても同様であり、単体のディスク装置を備え、情報の記録再生を行うようにしている。
【０００６】
前記のように単体のディスク装置を内蔵した情報機器において、ある光ディスクに収録された情報を他の光ディスクに記録しようとする場合は、まず、情報の記録された光ディスクをディスク装置によりドライブして情報機器本体内のハードディスク装置などに一旦記録を保持するようにする。つぎにディスク装置に記録用の光ディスクを装填し、前記ハードディスク装置の記録情報を読み出して記録用の光ディスクに情報を書き込むようにしている。このことから明らかなように、光ディスクの記録再生を同時に処理できるようにするには、記録用と再生用の２台のディスク装置を備え、同時に運用することにより光ディスクの交換を要することなく、光ディスクの再生と同時に記録が可能となる。
【０００７】
【特許文献１】
特願２００２−０１５８４４号
【０００８】
【発明が解決しようとする課題】
ところで、特にディスクトップ型のパソコンにおいては、ハーフハイトのドライブベイが、厚さが４１．３ｍｍに標準化されていることにより、ディスク装置の互換性が保たれるようにしている。したがって、上記のような目的から２台のディスク装置を備えるとすることは、ハーフハイトのドライブベイを増設することとなり、ディスク装置の配設に要する容積が二倍となることから、装置全体のスリム化、薄型化に逆行することになる。
【０００９】
本発明は、かかる従来の問題に鑑みなされたもので、情報機器の本体容積を増加することなく、標準化されたハーフハイトのドライブベイに２台のディスク装置を配設できるようにし、複数の光ディスクを同時にドライブできるようにしたものである。
【００１０】
【課題を解決するための手段】
そこで本発明は、以下に述べる各手段により上記課題を解決するようにした。
即ち、請求項１記載の発明では、情報機器のフロントフェイスに縦長に構成したハーフハイトのドライブベイへ配設可能となるようにしたディスク装置であり、組合せ可能に構成された一組のディスク装置の筐体を対向させて一体化したとき前記ドライブベイの開口部に一致する外形となるようにする。
【００１１】
請求項２記載の発明では、上記請求項１記載の発明において、ディスク装置の筐体の底板面を対向させるようにする。
【００１２】
請求項３記載の発明では、上記請求項１記載の発明において、単体のディスク装置の筐体部分の外形が、厚さ１９ｍｍ以上２０．６５ｍｍ以下とし、横幅１４５．５ｍｍ以上１４６．５ｍｍ以下となるようにする。
【００１３】
請求項４記載の発明では、上記請求項１記載の発明において、一組のディスク装置の各々の底板面を同時に係止する連結部材により一体化し、ドライブベイに配設可能となるようにする。
【００１４】
【発明の実施の形態】
以下、本発明の実施の形態を図にもとづいて詳細に説明する。
【００１５】
図１は、本発明を実現する構成が施されたディスク装置Ａの平面図であり、正面の状態を図２に示す。同図において符号１はディスク装置Ａの筐体となるシャーシケースであり、ベゼル２と一体化されたディスクトレイ３を収容し、このディスクトレイ３をロード／アンロードの指示にもとづいてシャーシケース１内で前進後退させる搬送機構を内蔵している。
【００１６】
前記シャーシケース１の天板面にはその両側端部に、内部へ貫通するスリット１ａが形成されており、また、組立状態において取付ネジの頭部との接触を回避する凹陥部１ｂが形成されている。一方、シャーシケース１の底板面の前記凹陥部１ｂに対応する位置にはネジ孔１ｃが形成されている。
【００１７】
図３は、ディスク装置Ａの単体の側面図であり、パソコンなどの情報機器本体Ｐに構成されているインナーハウジングのネジ通孔に一致する位置にネジ孔１ｄが形成されており、前記インナーハウジングのネジ通孔とシャーシケース１のネジ孔１ｄが同時にネジ止めされ、ディスク装置Ａが情報機器本体Ｐに固定される。このように形成されたシャーシケース１の厚さＨは、ハーフハイトのドライブベイに配設可能となるように１９ｍｍ以上２０．６５ｍｍ以下とし、横幅Ｗを１４５．５ｍｍ以上１４６．５ｍｍ以下となるようにする。
【００１８】
また、前記ディスクトレイ３の前端面に固定されるベゼル２の両側端部のフロントフェイスには、ディスクトレイ３のロード／アンロードを司る押釦４が配設されており、いずれの押釦４によってもディスクトレイ３のロード／アンロードが可能となるようにしている。
【００１９】
つぎに、上記のように構成された一組のディスク装置を一体化する場合の組立状態を図４にもとづいて説明する。同図に示すように第１のディスク装置をＡ１とし、第２のディスク装置をＡ２とする場合、第１のディスク装置Ａ１の底板面と第２のディスク装置Ａ２の天板面が構造的に連結された状態となるようにするため、本実施例では連結部材５を用いるようにした。
【００２０】
前記連結部材５は板状に形成され、その両端部にネジ通孔５ａとアングル片５ｂが形成されている。このように形成された連結部材５は、まず、第１のディスク装置Ａ１の底板面に取付ネジ６により固定され、アングル片５ｂが突出した状態とする。つぎに、前記アングル片５ｂを第２のディスク装置Ａ２のスリット１ａに差し込み、スライドさせることにより、アングル片５ｂで第２のディスク装置Ａ２の天板面を挟持した状態となり、両ディスク装置Ａ１・Ａ２は図５に示すように一体化される。なお、このようにして組み立てられたディスク装置Ａ１・Ａ２の位置ずれを防止するため、その背面でさらに連結部材を固定するなどの手段を施すことにより一体化がより確実なものとなる。
【００２１】
このようにして一体化された各ディスク装置Ａ１・Ａ２の厚さが２０ｍｍであり、連結部材５の厚さが１ｍｍである場合、一体化による全体の厚さが４１ｍｍとなり、丁度、ハーフハイトのドライブベイに配設可能となる。そして、第１または第２のディスク装置のネジ孔１ｄによりパソコンなどの情報機器Ｐのインナーハウジングに固定することにより、図６に示すように配設することが可能となる。
【００２２】
なお、連結部材５は、その幅寸法がディスク装置の幅寸法以下に形成されており、ディスク装置と一体化した際に、ディスク装置の側方に突出しないように構成してある。したがって、単体の場合であっても、また、組合せ状態においても幅寸法が変化しないので、いずれの場合においてもハーフハイトのドライブベイへの配設が可能となり、情報機器Ｐへ問題なく取り付けることができる。そして、このように一組のディスク装置を一体化した場合、例えば、第１のディスク装置Ａ１を再生専用とし、第２のディスク装置Ａ２を記録専用とするなど、任意に設定することが可能となる。
【００２３】
また、ハーフハイトのドライブベイにディスク装置を単体で配設すると、そのディスク装置の側部に空隙が生じてしまうが、この場合は、その空隙を覆うアタッチメント部材を用意し、これを装着することによりフロントフェイスの体裁を保つことができる。
【００２４】
ところで、上記実施例のように構成した場合、図７に示すようにディスク装置Ａ２のディスクトレイ３をアンロードしている状態でディスク装置Ａ１のディスクトレイ３をアンロードすると、前記ディスク装置Ａ２のディスクトレイ３の表面が覆蔽されて光ディスクの装填作業などが不能となり、操作性を低下する可能性がある。
【００２５】
そこで、本発明では、かかる不具合をも解決するようにした。即ち、図８に示すように、第２のディスク装置Ａ２のシャーシケース１の底板面の両側端部に、内部へ貫通するスリット１ａを形成する。そして、組立状態において取付ネジの頭部との接触を回避する凹陥部１ｂを形成し、一方、シャーシケース１の天板面の前記凹陥部１ｂに対応する位置にネジ孔１ｂを形成する。
【００２６】
第２のディスク装置Ａ２をこのように構成し、第１のディスク装置Ａ１と一体化する場合は、まず、第１のディスク装置Ａ１の底板面に取付ネジ６により連結部材５を固定し、アングル片５ｂが突出する状態とする。つぎに、前記アングル片５ｂを第２のディスク装置Ａ２のスリット１ａに差し込み、スライドさせることによりアングル片５ｂで第２のディスク装置Ａ２の天板面を挟持した状態となり、一体化されることになる。なお、この場合も、一体化されたディスク装置Ａ１・Ａ２の位置ずれを防止するため、その背面でさらに連結部材を固定するなどの手段を施すことにより確実なものとなる。
【００２７】
このようにして一体化されたディスク装置Ａ１・Ａ２を図９に示すように情報機器に配設すると、そのディスクトレイの表面は相対する状態となるので、図１０に示すようにディスクトレイをアンロードしても、一方のディスクトレイで他方のディスクトレイの表面が覆蔽されることがなくなり、ディスクトレイを同時にアンロードして光ディスクの装填作業を同時に行うことが可能となる。
【００２８】
【発明の効果】
以上、詳細に説明したように本発明の請求項１乃至請求項４記載の発明により、情報機器のフロントフェイスに縦長に構成したハーフハイトのドライブベイに対し、一組のディスク装置が配設可能となり、各ディスク装置を再生または記録専用とすることが可能となるので、ディスク装置を内蔵するための容積を増加することなく情報機器の機能を向上することができる。
【００２９】
また、連結部材により一組のディスク装置をその底板面で一体化したことにより、一方のディスクトレイの表面が他方のディスクトレイで覆蔽されることがないので、光ディスクの装填作業などのにおける操作性を低下することがない。
【図面の簡単な説明】
【図１】本発明によるディスク装置の平面図である。
【図２】本発明によるディスク装置の正面図である。
【図３】本発明によるディスク装置の側面図である。
【図４】本発明のディスク装置による組立状態を説明する斜視図である。
【図５】本発明のディスク装置による組立完成状態の側面図である。
【図６】本発明のディスク装置を情報機器へ組み込んだ状態の斜視図である。
【図７】本発明のディスク装置の使用態様を説明する斜視図である。
【図８】本発明のディスク装置の他の組立状態を説明する斜視図である。
【図９】本発明のディスク装置を情報機器へ組み込んだ状態の斜視図である。
【図１０】本発明のディスク装置の使用態様を説明する斜視図である。
【図１１】従来のディスク装置の情報機器への配設状態を示す斜視図である。
【符号の説明】
Ａ・・・・・・ディスク装置
１・・・・・・シャーシケース
１ａ・・・・・スリット
１ｂ・・・・・凹陥部
１ｃ・・・・・ネジ孔
１ｄ・・・・・ネジ孔
２・・・・・・ベゼル
３・・・・・・ディスクトレイ
４・・・・・・押釦
５・・・・・・連結部材
６・・・・・・取付ネジ
【図１】
2005056459.tif 000003
【図２】
2005056459.tif 000004
【図３】
2005056459.tif 000005
【図４】
2005056459.tif 000006
【図５】
2005056459.tif 000007
【図６】
2005056459.tif 000008
【図７】
2005056459.tif 000009
【図８】
2005056459.tif 000010
【図９】
2005056459.tif 000011
【図１０】
2005056459.tif 000012
【図１１】
2005056459.tif 000013